(57)【要約】  大気圧よりも加圧された呼吸に適したガスを、哺乳類の気道に供給するシステムと共に使用されるマスク用の逃がし通気孔（２０）。逃がし通気孔（２０）は、ガス逃がしに適合された通気オリフィス（２２）を含む。オリフィス（２２）は、雰囲気に向かって狭まった壁面を有するチャネル（２６）、ならびに／または、粗面化および／または波形化部分などの表面処理および／または輪郭形成を備えた１つまたは複数の壁面を有するチャネル（２６）など、ノイズの低減に寄与する１つまたは複数の特徴を含む。
2008526394.tif 000002
【特許請求の範囲】
【請求項１】
大気圧よりも加圧された呼吸に適したガスを、哺乳類の気道に供給するシステムと共に使用されるマスク用の逃がし通気孔であって、
ガス逃がしに適合された、円錐断面の少なくとも一部を形成する向かい合った縁部または側壁を含む通気オリフィスを備える、逃がし通気孔。
【請求項２】
前記オリフィスは、半島の形態の前記通気孔の固体区画を形成することを特徴とする請求項１に記載の通気孔。
【請求項３】
前記通気オリフィスは、約２７０°延びる半円形のスロットを備えることを特徴とする請求項１または２に記載の通気孔。
【請求項４】
前記円錐断面は、双曲線、放物線、楕円形、円形、それらの任意の一部、またはそれらの任意の組み合わせを形成していることを特徴とする請求項１から３のいずれか一項に記載の通気孔。
【請求項５】
前記通気オリフィスは、前記マスク上の隆起部の頂点にあることを特徴とする請求項１から４のいずれか一項に記載の通気孔。
【請求項６】
前記オリフィスの出口は、前記マスクからずれた平面内にあることを特徴とする請求項５に記載の通気孔。
【請求項７】
前記オリフィス出口は、前記マスクと共通の平面内にあることを特徴とする請求項６に記載の通気孔。
【請求項８】
前記隆起部は、その長さにわたって曲線を成していることを特徴とする請求項５に記載の通気孔。
【請求項９】
前記通気孔は、前記マスクに取付け可能な挿入体内に設けられていることを特徴とする請求項１から８のいずれか一項に記載の通気孔。
【請求項１０】
前記オリフィスは、ほぼ三日月形であることを特徴とする請求項１から９のいずれか一項に記載の通気孔。
【請求項１１】
前記オリフィスは、通気孔を通る複数のオリフィスの１つであることを特徴とする請求項１から１０のいずれか一項に記載の通気孔。
【請求項１２】
前記オリフィスは、蹄鉄形を有することを特徴とする請求項１から１０のいずれか一項に記載の通気孔。
【請求項１３】
前記オリフィスは、凸状セグメントおよび凹状セグメントを備えていることを特徴とする請求項１から１０のいずれか一項に記載の通気孔。
【請求項１４】
前記オリフィスは、複数の半円形セグメントを備えていることを特徴とする請求項１から１０のいずれか一項に記載の通気孔。
【請求項１５】
前記オリフィスは、部分円であるとともに、前記マスクの前記半島部分を部分的に取り囲んでいることを特徴とする請求項１から１０のいずれか一項に記載の通気孔。
【請求項１６】
前記オリフィス出口と前記マスクの内表面との間にチャネルをさらに備えることを特徴とする請求項１から１５のいずれか一項に記載の通気孔。
【請求項１７】
前記チャネルは、前記マスクの厚さと少なくとも同程度の深さを有することを特徴とする請求項１６に記載の通気孔。
【請求項１８】
前記チャネルは、前記オリフィス出口の幅または最小値の少なくとも５倍の深さを有することを特徴とする請求項１６に記載の通気孔。
【請求項１９】
前記チャネルは、傾斜した側壁を備えていることを特徴とする請求項１６に記載の通気孔。
【請求項２０】
前記側壁は、前記チャネルの軸線から５°の傾斜を有していることを特徴とする請求項１６に記載の通気孔。
【請求項２１】
前記側壁は、前記チャネルの軸線から３°から７°の傾斜を有していることを特徴とする請求項１６に記載の通気孔。
【請求項２２】
前記チャネルは、前記マスクの外表面から外向きに延び、前記チャネルは、前記マスク上の前記隆起部の内壁によって形成されていることを特徴とする請求項１から２１のいずれか一項に記載の通気孔。
【請求項２３】
前記チャネルは、前記マスクの内表面の内側に延び、前記チャネルは、前記マスク内の溝の内壁によって形成されていることを特徴とする請求項１に記載の通気孔。
【請求項２４】
前記チャネルは、表面処理および／または輪郭形成を備える側壁を有することを特徴とする請求項１６から２３のいずれか一項に記載の通気孔。
【請求項２５】
前記表面処理は、前記オリフィスに隣接した前記側壁の区画に適用されることを特徴とする請求項２４に記載の通気孔。
【請求項２６】
前記表面処理は、粗面を含んでいることを特徴とする請求項２４から２５のいずれか一項に記載の通気孔。
【請求項２７】
前記表面輪郭形成は、波形形成を含んでいることを特徴とする請求項２４から２６のいずれか一項に記載の通気孔。
【請求項２８】
前記波形形成は、前記オリフィスに直交して並べられた波形化区画を含んでいることを特徴とする請求項２７に記載の通気孔。
【請求項２９】
大気圧よりも加圧された呼吸に適したガスを、ヒトまたは動物の患者に供給するシステムと共に使用されるマスクから、ガスを逃がす通気孔アセンブリであって、
固体区画と、
前記固体区画内に形成された、前記マスクの内部と流体連通している細長い曲線状のオリフィスとを備える、通気孔アセンブリ。
【請求項３０】
前記固体区画は、前記マスクの半島区画であることを特徴とする請求項２９に記載の通気孔アセンブリ。
【請求項３１】
前記固体区画は、前記通気孔アセンブリの半島区画であることを特徴とする請求項２９に記載の通気孔アセンブリ。
【請求項３２】
前記通気孔アセンブリは、エラストマー材料から形成された挿入体を備え、前記挿入体は、前記マスクに取付け可能であることを特徴とする請求項２９に記載の通気孔アセンブリ。
【請求項３３】
前記挿入体は、ほぼ三日月形状であるとともに、前記挿入体を通る複数のオリフィスを含んでいることを特徴とする請求項３２に記載の通気孔アセンブリ。
【請求項３４】
前記オリフィスは、蹄鉄形、三日月形、２７０°の半円形、および曲線のスロットから成る群から選択された形状を有することを特徴とする請求項２９に記載の通気孔アセンブリ。
【請求項３５】
前記オリフィスと前記マスクの内部との間に延びるチャネルをさらに備え、前記チャネルは、表面処理および／または輪郭形成を有する側壁を備えていることを特徴とする請求項２９から３３のいずれか一項に記載の通気孔アセンブリ。
【請求項３６】
前記表面処理は、前記オリフィスに隣接した前記側壁の区画に適用されていることを特徴とする請求項３５に記載の通気孔アセンブリ。
【請求項３７】
前記表面処理は、粗面を含んでいることを特徴とする請求項３５または３６に記載の通気孔アセンブリ。
【請求項３８】
前記表面輪郭形成は、波形形成を含んでいることを特徴とする請求項３５または３６に記載の通気孔アセンブリ。
【請求項３９】
前記波形形成は、前記オリフィスに直交して並べられた波形化区画を含んでいることを特徴とする請求項３８に記載の通気孔アセンブリ。
【請求項４０】
大気圧よりも加圧された呼吸に適したガスを、哺乳類の患者の気道に供給するシステムと共に使用されるマスク内に、通気孔アセンブリを形成する方法であって、
ａ）前記通気孔アセンブリの型であって、チャネルを形成する隆起部と非円形の断面を有する細長いオリフィスとを含む型を形成する工程と、
ｂ）表面処理および／または輪郭形成を前記隆起部の少なくとも１つの内側壁に適用する工程と、
ｃ）前記チャネルを有する成型された通気孔アセンブリを形成するため、材料を前記型に注入する工程と、
を含む方法。
【請求項４１】
前記表面処理を適用する工程は、前記側壁を粗面化するため、前記側壁にサンドブラストを施す工程を含むことを特徴とする請求項４０に記載の方法。
【請求項４２】
前記表面輪郭形成は、前記側壁上の波形化された溝を含むことを特徴とする請求項４０または４１に記載の方法。
【請求項４３】
前記表面処理および／または輪郭形成が、前記隆起部の狭い部分に隣接した前記側壁の区画に適用されていることを特徴とする請求項４０に記載の方法。
【請求項４４】
大気圧よりも加圧された呼吸に適したガスを、ヒトまたは動物の患者に供給するシステムと共に使用されるマスクから、ガスを逃がす通気孔アセンブリであって、
前記マスクの内部と流体連通しているオリフィスと、
前記オリフィスと前記マスクの内側区画との間のチャネルであって、側壁に沿って波形形成を有するとともに、前記側壁が前記チャネルの出口に円鋸歯状の縁部を有するチャネルとを備える、通気孔アセンブリ。
【請求項４５】
前記波形形成が、前記オリフィスに直交して並べられた波形化区画を含むことを特徴とする請求項４４に記載の通気孔アセンブリ。
【請求項４６】
大気圧よりも加圧された呼吸に適したガスを、哺乳類の気道に供給するシステムと共に使用されるマスク用の逃がし通気孔であって、
ガス逃がしに適合された、向かい合った縁部または側壁を有する通気オリフィスと、
オリフィス出口と前記マスクの内表面との間のチャネルと、を備え、
前記オリフィスは、１３０〜１５０°の円弧全体にわたって延びる、４〜２０ｍｍの直径を含む湾曲した構成を有し、
前記チャネルは、０．５〜１．０ｍｍの幅、２．５〜３．５ｍｍの深さ、１〜２ｍｍの入口半径、および３〜７ｍｍの抜き勾配を含むことを特徴とする逃がし通気孔。
【請求項４７】
前記オリフィスは、１４２°の円弧全体にわたって延びる、７．７ｍｍの直径を含み、前記チャネルは、０．８５ｍｍの幅、３ｍｍの深さ、１．５ｍｍの入口半径、および６°の抜き勾配を含んでいることを特徴とする請求項４６に記載の逃がし通気孔。
【請求項４８】
マスクフレームと、前記マスクフレームに設けられた請求項４６または４７に記載の少なくとも１つの逃がし通気孔とを含む、マスクアセンブリ。
【請求項４９】
２つの逃がし通気孔が前記マスクフレームに設けられていることを特徴とする請求項４８に記載のマスクアセンブリ。
【請求項５０】
マスクフレームと、
前記マスクフレームに設けられた２つの逃がし通気孔であって、ガス逃がしに適合された細長い湾曲した通気オリフィスをそれぞれ含む通気孔と、
を備える、マスクアセンブリ。
【請求項５１】
前記マスクフレームは、前頭部支持体を受け入れるように適合された受け部を含み、前記２つの通気孔が、前記マスクフレーム上で前記受け部の離間した側壁の間に配置されていることを特徴とする請求項５０に記載のマスクアセンブリ。
【請求項５２】
前記２つの通気孔は、全体でほぼ逆Ｓ字形を形成するようにして縦に連なって配置されていることを特徴とする請求項５０または５１に記載のマスクアセンブリ。
【請求項５３】
前記２つの通気孔は、各前記通気孔の中央を通って延びる線が前記マスクフレームの長手方向軸線にほぼ直交するようにして方向付けられていることを特徴とする請求項５０から５２のいずれか一項に記載のマスクアセンブリ。
【請求項５４】
前記２つの通気孔は、垂直に並べられていることを特徴とする請求項５０に記載のマスクアセンブリ。
【請求項５５】
前記通気孔の両方が、前記フレームの底部に向かって下向きに湾曲していることを特徴とする請求項５４に記載のマスクアセンブリ。
【請求項５６】
前記通気孔の両方が、前記フレームの頂部に向かって上向きに湾曲していることを特徴とする請求項５４に記載のマスクアセンブリ。
【請求項５７】
前記２つの通気孔が、水平に並べられていることを特徴とする請求項５０に記載のマスクアセンブリ。
【請求項５８】
前記通気孔が、互いに向かって湾曲していることを特徴とする請求項５７に記載のマスクアセンブリ。
【請求項５９】
前記通気孔は、互いから離れる方向に湾曲していることを特徴とする請求項５７に記載のマスクアセンブリ。
【請求項６０】
前記２つの通気孔は、垂直方向にずれ、前記２つの通気孔は互いに向かって湾曲していることを特徴とする請求項５０に記載のマスクアセンブリ。
【請求項６１】
前記２つの通気孔は、わずかに重なり合って縦に連なって配置されていることを特徴とする請求項５０に記載のマスクアセンブリ。
【請求項６２】
前記２つの通気孔は、全体でほぼＳ字形を形成するようにされ、間に小さな間隙を有して縦に連なって配置されていることを特徴とする請求項５０に記載のマスクアセンブリ。
【発明の詳細な説明】
【技術分野】
【０００１】
本出願は、ガス逃がし通気孔を有する呼吸マスクと、このマスクの製造方法とに関する
【０００２】
本願は、それぞれその全体が参照により本明細書に組み込まれる、２００５年１月１２日出願の米国仮出願第６０／６４３１１４号、および２００５年９月８日出願の米国仮出願第６０／７１４９１０号の利益を主張する。
【０００３】
２００４年７月２３日にＦｕおよびＳａａｄａによって出願された米国仮出願第６０／５９０３３８号も、その全体が参照により本明細書に組み込まれる。
【背景技術】
【０００４】
持続性気道陽圧（ＣＰＡＰ）フロージェネレーターシステムによる、閉鎖性睡眠中無呼吸（ＯＳＡ）などの睡眠呼吸障害（ＳＤＢ）の治療は、大気圧よりも加圧された空気（または他の呼吸に適したガス）を、導管およびマスクを介して、ヒトまたは他の哺乳類の患者の気道に継続的に送達することを伴う。一般に、マスクは患者の口および／または鼻に適合する。加圧空気は、マスクに、かつ鼻および／または口を介して患者の気道に流れる。患者が呼気すると、炭酸ガスがマスク内に集まることがある。マスクまたは導管内の逃がし通気孔（ｗａｓｈｏｕｔ  ｖｅｎｔ）は、呼気ガスをマスク環境から放出する。
【０００５】
逃がし通気孔は、通常、マスク内に、またはマスク近傍のマスクに連結されたガス送達導管内に位置する。通気孔を介したガスの雰囲気への逃がしにより、呼気ガスが除去されて、二酸化炭素の蓄積が、すなわち、マスク着用者に対する健康リスクを表す「再呼吸」が防止される。適切なガス逃がしは、一般に成人の場合はわずか４ｃｍＨ２Ｏ、小児の場合は２ｃｍＨ２Ｏであってよい低い動作ＣＰＡＰ圧で、最小限の安全な逃がしフローを可能にする、通気孔のサイズおよび構成を選択することによって達成される。
【特許文献１】米国特許第６５６１１９０号明細書
【特許文献２】米国特許第６６９１７０７号明細書
【特許文献３】米国特許出願公開第２００３／０１９６６５７号明細書
【特許文献４】国際公開第２００４／０２２１４７号パンフレット
【特許文献５】国際特許出願ＰＣＴ／ＡＵ２００４／０００５６３号明細書
【特許文献６】米国特許第６５８１５９４号明細書
【特許文献７】米国特許第６５６１１９１号明細書
【特許文献８】米国特許出願公開第２００３／００７９７５１号明細書
【特許文献９】米国特許出願公開第２００４／０２２６５６６号明細書
【特許文献１０】米国特許出願第１０／６５５６２１号明細書
【特許文献１１】米国特許第６１１２７４６号明細書
【特許文献１２】欧州特許出願公開第０９８５４３０号明細書
【発明の開示】
【発明が解決しようとする課題】
【０００６】
ノイズは、患者および／または患者の同室者にとって、ＣＰＡＰ治療における重要な問題である。過度のノイズは、患者がＣＰＡＰ治療に非協力的になることに結びつく場合がある。１つのノイズ源は、マスクまたは導管内の通気孔を介した排気である。通気孔を介したガスのフローは、雰囲気に出ていき、雰囲気と相互作用する際にノイズを生じる。ノイズは、ノイズの大きさおよび性質の両方に応じて、患者および同室者の快適さに悪影響を及ぼす場合がある。さらに、バイレベルのガス送達レジームは、一定レベルのガス送達レジームよりも多くのノイズを発生させる傾向がある。これは、バイレベルガス送達システムでは、ガスが比較的低い圧力と比較的高い圧力の間でサイクル動作するに従って加速および減速することによって生じる、過剰な乱流によるものと考えられる。
【０００７】
逃がし通気孔は、気流に対してほぼ固定のインピーダンス（例えば、時間とともにほぼ不変の幾何学形状を有する）または可変インピーダンスを提供してもよい。固定の通気孔設計では、通気フローはマスク圧力と共に増加するので、通気フローは、低圧において適切であって高圧において過度であることがある。固定の通気孔を通るフローの変化は、ノイズにつながることがある。固定の通気孔は、一般的に簡便であり、安価で製造および作動される。可変の通気孔設計は、マスク圧力の範囲全体にわたって、一定またはほぼ一定の通気フローをもたらすことが可能であり、マスク圧力が増加するに従ってノイズが増加しないという利点を有する。これは、高圧においてより低い通気フローにつながることがあり、それが、より少ないノイズにつながることがある。しかし、可変の通気孔には、製造、組立て、一貫性、洗浄、および有用性における問題点がある。
【０００８】
ノイズレベルが比較的低い固定のガス通気孔が知られており、そのレベルは、１２ｃｍ  Ｈ２Ｏの治療（マスク）圧力で３０ｄＢＡ程度の低さであり得る。そのような通気孔としては、例えば、ＲｅｓＭｅｄ  ＭＩＲＡＧＥ（商標）マスク（特許文献１に開示）、ＲｅｓＭｅｄ  ＵＬＴＲＡ  ＭＩＲＡＧＥ（商標）マスク（特許文献２に開示）、ＲｅｓＭｅｄ  ＶＩＳＴＡ（商標）マスク（特許文献３に開示）、通気孔を備えたＬ字継手を含むＲｅｓＭｅｄ  ＡＣＴＩＶＡ（商標）マスク（特許文献４に開示）、および、通気孔を組み込んだＬ字継手を含むＲｅｓＭｅｄ  ＭＥＲＩＤＩＡＮ（商標）使い捨て鼻マスク（特許文献５に開示）が挙げられる。これらの特許および特許出願のすべての内容は、その全体が参照により本明細書に組み込まれる。
【０００９】
一般的に２５ｄＢＡ以下のノイズレベルを提供する、様々な低ノイズの通気孔が知られているが、このノイズレベルでは、通気孔のノイズを連通されたフロージェネレーターのノイズまたは一般的な暗雑音と区別することが困難になる。低ノイズの通気孔の例は、特許文献６およびＷｅｉｎｍａｎｎの焼結通気孔に開示されている。少なくとも焼結通気孔は、製造可能性、耐久性、閉塞性、給湿性、無菌性／細菌生育性、および／または洗浄可能性に乏しいと考えられる。
【００１０】
比較的安価で組立てが簡便であり、保守が容易な、マスクおよび導管用の低ノイズのガス通気孔が、長年継続的に必要とされている。マスクまたは導管から排出されるガスのノイズを低減することで、ＣＰＡＰ治療のユーザ利便性を大幅に改善することができる。簡便で容易に使用できる低ノイズの通気孔を提供することで、ＣＰＡＰ治療のコストを低減し、それにより、ＳＤＢ患者にとって治療をより手頃な価格にする助けとすることができる。
【課題を解決するための手段】
【００１１】
本発明の１つの態様は、呼気ガスを低ノイズで逃がす通気孔アセンブリを提供することであり、それは、例えば、粗面化などの表面処理、および／または、１つもしくは複数のスロット付き通気開口の１つもしくは複数の壁面に設けられてもよい波形化（ｓｃａｌｌｏｐｅｄ）部分などの表面輪郭形成（ｃｏｎｔｏｕｒｉｎｇ）などの、１つまたは複数の表面特性を使用して達成されてもよい。開口は、フローの方向にわずかに互いに向かって狭まる、かつ／または互いから離れて広がってもよい向かい合った壁面を有する、単一の弓状または半円形のスロットの形態であってもよい。他の実施形態では、スロットは直線のスロットの形態であってもよく、壁面は互いに対して平行であるか、または先細になっていなくてもよい。
【００１２】
本発明の別の態様では、マスクは、曲線の形状、スロット、狭まるかつ／または広がる側壁、表面粗さ、波形形成／円鋸歯形成、丸くされたまたは鐘形の入口、適切なガス逃がしを発生させるように設計された発生長さおよび／または出口（もしくは最小）幅、および／または、低ノイズでガスが出ることを促進する材料特性（例えば、密度、厚さ）といった特徴の１つまたは複数を含む、開口を有する通気孔アセンブリを含む。
【００１３】
特に好ましい一実施形態は、曲線の形状、丸いまたは鐘形の入口、および／または適切なガス逃がしを展開するように設計された展開長さ（ｄｅｖｅｌｏｐｍｅｎｔ  ｌｅｎｇｔｈ）および／または出口（もしくは最小）幅といった特徴の１つまたは複数を含む、開口を含む通気孔アセンブリを備えたマスクを含む。
【００１４】
本発明は、大気圧よりも加圧された呼吸に適したガスを、哺乳類の気道に供給するシステムと共に使用されるマスク用の逃がし通気孔として具体化されてもよく、逃がし通気孔は、ガス逃がしに適合された通気オリフィスを備え、前記オリフィスは、円錐断面、例えば、円形、楕円形、放物線、双曲線などを少なくとも部分的に形成するか、または完成させる。１つの好ましい実施例では、オリフィスは、円形または楕円形の約２２０°〜３００°、好ましくは２７０°を完成させる。
【００１５】
通気孔アセンブリは、蹄鉄形、楕円形、螺旋形、曲線状、真直ぐな三日月形（１つまたは複数）、半円形、それらの曲線のスロット部分、または上記の任意の組み合わせの形状を有する単一のオリフィスを備えてもよい。オリフィスは、マスクまたは取外し可能な通気孔アセンブリ挿入体上に配置された複数のオリフィスであってもよい。さらに、通気孔は、オリフィスとマスクシェルの間にチャネルを備え、チャネルは、少なくともマスクの厚さ程度の、好ましくはオリフィスの幅の少なくとも４倍の深さを有する。チャネルの側壁は、オリフィスを通って排出される逃がしガスのノイズを低減するため、互いに向かって狭まってもよく、また、粗いもしくは粗面化表面処理および／または波形化表面を有してもよい。
【００１６】
別の実施形態では、本発明は、大気圧よりも加圧された呼吸に適したガスを、ヒトまたは動物の患者に供給するシステムと共に使用されるマスクから、ガスを逃がす通気孔アセンブリを含んでもよく、前記通気孔アセンブリは、マスクの内部と流体連通しているオリフィスと、オリフィスによって少なくとも部分的に取り囲まれた固体区画とを備える。通気孔アセンブリは、硬質プラスチック製のマスクシェルよりも実質的に柔らかくより柔軟なエラストマー材料から形成された挿入体であってもよく、前記挿入体は、選択的に、かつ繰り返しマスクに着脱可能である。通気孔アセンブリは、ほぼ三日月形であってもよく、それを通る１つまたは複数のオリフィスを含む。オリフィスは、例えば、蹄鉄形、三日月形、２７０°の半円形、曲線のスロットなどから成る群から選択された円錐形状を有してもよい。さらに、通気孔アセンブリは、オリフィスとマスクの内部との間に延びるチャネルを備え、チャネルは、粗いもしくは粗面化表面などの側壁の表面処理を含み、側壁は波形化されてもよい。
【００１７】
本発明の別の態様は、大気圧よりも加圧された呼吸に適したガスを、哺乳類の気道に供給するシステムと共に使用されるマスク用の逃がし通気孔に関する。逃がし通気孔は、ガス逃がしに適合された通気オリフィスを含む。オリフィスは、向かい合った縁部または側壁を含む。チャネルは、オリフィス出口とマスクの内表面との間に設けられる。オリフィスは、１３０〜１５０°の円弧全体にわたって延びる、４〜２０ｍｍの直径を含む湾曲した構成を有する。チャネルは、０．５〜１．０ｍｍの幅、２．５〜３．５ｍｍの深さ、１〜２ｍｍの入口半径、および３〜７ｍｍの抜き勾配を含む。
【００１８】
本発明のさらに別の態様は、マスクフレームと、マスクフレームに設けられた２つの逃がし通気孔とを含むマスクアセンブリに関する。各通気孔は、ガス逃がしに適合された細長い湾曲した通気オリフィスを含む。
【００１９】
本発明の他の態様、特徴、および利点は、以下の詳細な説明を添付図面と併せ読むことにより、明らかになるであろう。添付図面は、本開示の一部であり、本発明の原理を一例として図示する。
【００２０】
添付図面は、本発明の様々な実施形態についての理解を容易にする。
【発明を実施するための最良の形態】
【００２１】
１．  ガス逃がし通気孔の第１の実施形態
図１および２は、大気圧よりも加圧された呼吸に適したガスをヒトまたは他の哺乳類の気道（１つまたは複数）に供給するシステム、例えば、ＣＰＡＰまたは他の非侵襲性の陽圧供給システムと共に使用される、マスクフレーム１０を示す。マスクフレームは、呼吸に適したガスをフロージェネレーター（図示なし）からマスク着用者の気道に連通する供給導管に接続するための、給気チューブ開口１４を有する剛性のプラスチックシェル１２を含む。マスクシェル１２は、患者の顔面とシェル１２の内部容量１７との間のガス密封止を提供する、可撓性の封止膜（図示なし）を支持する枠１６を含む。シェル１２は、患者が寝ている間、マスクを鼻および／または口の上で保持するヘッドギアストラップを受け入れる、例えばスロット付きコネクタを有するＴ形材を含む前頭部支持体（図示なし）に、マスク１０を接続する支持体１８を含む。マスクフレームは、ポリカーボネートなどの一般に剛性の材料から成型されてもよい。
【００２２】
マスク上の通気孔２０は、ガス逃がしのためのオリフィス２２を含む。オリフィスは、マスクの内部１７から大気へのフロー通路を提供するチャネル２６（図６）によって、部分的に形成される。オリフィスは、平面図において、円錐形状を有してもよく、例えば、オリフィスを形成する向かい合った壁面または縁部は、円錐状または部分的な円錐状区画を通る完全なまたは部分的な断面によって形成することができる、任意の形状で形作られてもよい。例えば、オリフィスは、円形、双曲線、楕円形、放物線、半円形、またはそれらの部分の形状であってもよい。それに加えて、オリフィスの向かい合った壁面または縁部は、「Ｃ」字形、蹄鉄形、三日月形、または一対の向かい合った三日月形、正弦曲線、一連の凸状および凹状のセグメント、螺旋形、それらの部分または区画、あるいは他の曲線形状またはさらには直線形状などの、他の形状を形成してもよい。
【００２３】
別の観点では、オリフィスは、オリフィスによって部分的に取り囲まれた半島を形成する、マスクの固体区画（ｓｏｌｉｄ  ｓｅｃｔｉｏｎ）３２上に設けられる。固体区画は、マスクへのブリッジ部を備えたプレートであってもよい。固体区画は、マスクと共通の平面内にあって、オリフィスに対して窪んでいてもよく、または、固体区画は、通気開口がマスクの外側と同一平面になるようにして、マスクの残りの部分に対して窪んでいてもよい。
【００２４】
曲線状または直線状のオリフィスの一実施形態における共通の特性は、オリフィスが、その特有の幅（Ｗ）よりも実質的に大きな長さ（図３のＬ）を有することである。例えば、長さ（Ｌ）は、オリフィスの幅（Ｗ）の少なくとも５倍であってもよく、長さは、好ましくは幅の１０〜２０倍であってもよい。この比は、特定の用途では、５未満、および２０より大きくてもよい。オリフィスが、複数の円形セグメント（またはセグメントの他の配置）である場合、セグメントの合計長さ（Ｌ）はそれらの平均幅よりも実質的に大きい。さらに、オリフィスの面積、例えば長さ×幅（オリフィスの形状に応じて）は、好ましくは約１５ｍｍ２であり、例えば、５ｍｍ２〜２５ｍｍ２であってもよい。チャネルまたはオリフィスの長さに沿った任意の場所に存在させることのできるオリフィスの最小断面積は、通気孔の抵抗性を形成する。
【００２５】
図３、４、および５に示されるように、オリフィス２２は、マスクシェルから外向きに延びる盛り上がった隆起部２４の頂点に、またはシェル内に形成された溝の底部に形成されてもよい。図１〜５に示される実施形態では、平面図における隆起部２４は円の四分の三（３／４）の区画であり、すなわち、オリフィスの形状に順応し、かつ一致する。
【００２６】
図３〜５に示される構成におけるオリフィスは、少なくとも部分的にノイズを低減する助けとなると考えられるが、それは、噴出した空気が、流出する際に、必ずしも停滞していないがオリフィスの隣接する区画にある程度起因して動いている空気に衝突し、それが、流出方向におけるそのような噴出した空気の動きを促進するためである。換言すれば、スロットの湾曲した性質、特に、曲線の区画の形態でそれ自体の上に「折り重なる」ものは、噴出した空気と周囲の大気との間の速度差を最小限に抑える助けとなる。
【００２７】
隆起部および／またはそのオリフィスは、分割されて、例えば、円形セグメントの配列または一対の向かい合った三日月形の隆起部を形成してもよい。オリフィスは、半円形の形態の場合、半島３２を形成し、この半島３２は、マスクに接続するとともにその一部として形成されている。隆起部または溝は、オリフィスの形状に類似するが、それよりも幅広の形状を有してもよい。
【００２８】
オリフィスによって形成される円の直径（Ｄ）（図６を参照）は、好ましくは約６〜８ｍｍ、好ましくは約６ｍｍであり、４ｍｍ〜２０ｍｍであってもよい。半円形のオリフィスの直径（Ｄ）は、オリフィスの所望の表面積、例えば１５ｍｍ２に基づいて決まってもよい。さらに、直径（Ｄ）は、用途に応じて、提案された４ｍｍ〜２０ｍｍの範囲を超えて変化してもよい。
【００２９】
オリフィス２２の内側表面２８は、マスクシェルの内部１７からオリフィス２２の出口まで延びるチャネル２６を形成するか、またはそれによって形成される。チャネル２６は、曲線状、例えば蹄鉄形であってもよく、オリフィスの出口に類似した形状を有してもよい。図示される実施形態では、オリフィス２６の間隙（Ｗ）は、一般に、マスクの内表面からオリフィスの出口に向かって狭くなる（収束する）。しかし、オリフィスはまた、フローの方向に広がってもよく、または、オリフィスは、ガスのフローの方向に、オリフィスの１つの区画では広がり、別の区画では狭まるような複雑な形状を有してもよい。図示される実施形態では、オリフィスの間隙は、マスクシェルの内部１７に向かって開いている。チャネル壁面の内表面２８間の間隙は、その最も狭い幅で約０．５ｍｍ〜１．０ｍｍ、好ましくは０．７５ｍｍであってもよい。各内側表面の傾斜は、チャネルを通って延びる軸線から５°の抜き勾配（ＤＡ）であってもよい。５°の抜き勾配が好ましいが、３〜７°の角度などの他の抜き勾配が可能である。
【００３０】
チャネル２６は、チャネル間隙（Ｗ）の最も狭い幅の約４倍の深さ（ＤＤ）を有してもよい。チャネル深さ（ＤＤ）は、マスクシェルの内表面からオリフィスの出口までの距離である。好ましい形態では、チャネル深さは３ｍｍであり、間隙（Ｗ）は０．７５ｍｍである。チャネル深さは、一般にマスクシェルの厚さ（Ｔ）よりも大きいので、通気孔およびオリフィスはシェルの表面から突出する。マスクは１．０ｍｍの厚さを有してもよい。チャネル深さ（ＤＤ）とオリフィスの幅（Ｗ）の比は、好ましくは４．０（例えば、３．０ｍｍ／０．７５ｍｍ）であり、２〜１００であってもよい。
【００３１】
２．  ガス逃がし通気孔の第２の実施形態
図８〜１１はチャネル２６を示し、このチャネル２６においては、側壁２８は、チャネルから大気に排出される空気の乱流を増加させるように形成され、および／または処理された表面を有している。これは、換気された空気を大気からの空気と急速に混合して、それにより、換気された空気の速度を急激に低減させる効果を有し、それがノイズを低減すると考えられる。チャネルの内表面２８の少なくとも一部は、例えば円鋸歯状の縁部を有して波形化された成形表面、および／または処理された表面、例えば、粗面化または鱗状化された（ｓｃａｌｅｄ）表面などの粗い表面処理を有してもよい。粗面化の１つの実施例は１００〜２００ミクロン程度であってもよい。表面処理は、オリフィスの近傍におけるチャネルの内側表面に適用されてもよい。鱗状化は、サメなどの魚の鱗に類似して見える表面処理を指す。
【００３２】
一実施形態では、表面輪郭形成または成形は、図８〜１２に示されるようなチャネルの内表面それぞれに、一連の波形化された溝３４、例えば１０〜３０本の溝、図示される実施例では好ましくは約１８本の溝を含んでもよい。溝３４は、同じ寸法を有するように図示されているが、溝のサイズは、より大きな溝とより小さな溝の間で交互にすることができ、または各溝が異なるサイズを有することができる。さらに、チャネル入口において、側壁は平滑であって、波形化されていなくてもよい。図６、７、および１２に示されるように、内壁２８の基部は、空気の通過を容易にするため、十分に丸くされるか、または鐘形にされる。平滑な内側表面２８は、チャネルの深さの少なくとも２分の１まで下向きに延びてもよい。
【００３３】
概念上、波形化された溝の形状は、オリフィス（Ｗ）より広くチャネルの最も幅広の部分よりも狭い直径を有する、円筒状のドリルビットを用いて切削することによって形成されてもよい。傾斜したチャネルの側壁を円筒状のドリルビットで孔あけすることで、チャネルの狭い出口で始まり、壁面の一部に沿って内向きに延びる波形化された溝が形成される。溝に孔あけすることは、また、通気孔の内壁に沿って放物線状の縁部をもたらす。別の方法として、かつ好ましくは、波形化された溝は、通気孔チャネルに対応する型の壁面上に波形化された隆起部を含む、通気孔の型によって成型する間に形成されてもよい。波形形成は、概念上、円錐形のドリルビットを使用し、オリフィスの出口から内向きに孔あけすることにより、側壁が先細になっていなくてもその上に設けることができることに留意されたい。
【００３４】
オリフィスを取り囲むようなチャネルの出口縁部は、円鋸歯状であってもよい。チャネルの出口縁部３５は、一連の比較的真直ぐなセグメント（Ｓ’）とその間に挟まれる、例えば楕円形または丸くされたセグメントのような円鋸歯状のセグメント（Ｓ）であってもよい。チャネル縁部における交互の真直ぐなセグメントと円鋸歯状のセグメントとにより、通気孔を出るジェット気流とチャネル出口の直ぐ下流の停滞した空気との混合が促進される。縁部セグメント（Ｓ’およびＳ）は比較的均一なものとして示されているが、セグメントは、チャネルの縁部に沿って長さおよび深さが変化してもよい。それに加えて、チャネルの幅（Ｗ’）は、波形化部分が形成されるチャネルの幅（Ｗ）よりも小さい。図１１Ａは、それらの寸法の相対位置を示す概略図である。
【００３５】
３．  ガス逃がし通気孔の第３の実施形態
図１３は、好ましくは出口縁部において、少なくともオリフィスにおけるチャネルの縁部の近傍に、粗い表面処理４６を有するチャネル側壁４４を有する、通気オリフィス４５の別の実施形態の正面図である。粗い表面は、チャネルの側壁に沿って流れる空気の乱流を増加させると考えられる。オリフィス４５および関連するチャネル（マスクシェル１２から外向きに延びる隆起部、またはシェル内部に延びる溝であってもよい）は、蛇行する一連の凸状および凹状の湾曲セグメントを有する曲線形状を有する。粗い表面処理は、チャネル側壁の波形化された溝と別個であるか、またはそれと組み合わされてもよい。チャネルの内壁４４は、例えば、通気チャネルに対応する型の部分にサンドブラストを施すことにより、粗目４６にされてもよい。
【００３６】
通気孔を（別個の通気孔またはマスクと一体の通気孔のいずれかとして）成型するため、型は最初に通気孔から形成され、その際、型はアセンブリのチャネルおよびオリフィスに対応する隆起部を備える。型の幾何学形状は波形を形成する形体を含むように切断されてもよく、型の表面は、例えばサンドブラストによって、通気孔の内表面上に所望のレベルの表面粗さを作るように処理されてもよい。表面処理または輪郭形成は、好ましくは、型側壁の通気チャネルに、特に通気孔（オリフィス）の出口縁部に対応する型区画の向かい合った側面上に適用される。型の波形化かつ／または表面粗さを備えるチャネルを有する成型された通気孔アセンブリを形成するため、プラスチック材料（例えば、ポリカーボネート）が型に注入される。
【００３７】
４．  ガス逃がし通気孔の第４の実施形態
図１４は、別のオリフィス３６およびマスクシェルの開口４２に嵌合する取外し可能な弾性挿入体４０の平面図である。通気孔挿入体は、既知であり、例えば、それぞれその全体が参照により組み込まれる、特許文献１および特許文献７、ならびに特許文献８に開示されている。通気孔挿入体は、一般に、小さな円形オリフィスの配列を有していたが、図１４のオリフィス３６は伸長された曲線のスロットである。別の方法として、またはそれに加えて、オリフィス３６は、予め定められた抜き勾配を有する上述のチャネル、粗面、および／または１つもしくは複数の波形化部分を含んでもよい。図１４の通気孔挿入体は、その外形が既存の挿入体と同一であってもよく、また、既存のマスクシェルに嵌合してもよい。交換可能な通気孔４０内の曲線のオリフィスにより、曲線のスロット（本開示に示されるものなど）を既存のマスクアセンブリに使用することが可能になる。挿入体４２は可撓性ポリマー、例えばＳａｎｔｏｐｒｅｎｅ（商標）から作られてもよい。挿入体４２は交換および洗浄のために取外し可能である。
【００３８】
５．  別のマスク上のガス逃がし通気孔
図１５は、患者の鼻孔とインターフェース接続するノズル５２を含むマスク５０の斜視図である。同様のマスクは、例えば、その公報の全体が参照により組み込まれる、特許文献９の図１１７および１３０に開示されている。逃がし通気孔は、従来、円形開口部の配列であったが、本発明のマスクは、例えば、任意に輪郭形成または表面処理、例えば波形化部分および／または粗面を備えた狭まる壁面を有するスロットなど、図３〜１２に関して上述した特徴の１つまたは複数を含む、１つまたは複数の曲線の通気孔５４を含む。図示される通気孔アセンブリは、従来の円形の通気オリフィスよりも静かに動作すると考えられる、１つまたは複数の細長いオリフィスを有する。
【００３９】
図１６は、図１５に示されるマスクのための、ヨーク、フレーム、封止リング、およびエンドキャップのアセンブリ５６の部分分解組立図である。図１６に示されるエンドキャップ５８は、曲線の逃がし通気孔６０を有する。エンドキャップ上に単一の大型オリフィス通気孔を配置することにより、クッションなどのマスクの別の部分上における複数の通気孔の必要性がなくなる。
【００４０】
６．  ガス逃がし通気孔を備えた自在Ｌ字継手（Ｓｗｉｖｅｌ  Ｅｌｂｏｗ）
図１７、１８、および１９は、その全体が参照により組み込まれる特許文献２に示されるものに類似の、給気口７２および排気口７４を有する給気口導管７０の図である。ホース（図示なし）が入口に適合して、ブロワーまたは他の空気源から加圧空気を供給する。出口７４は、図１に示されるマスク内の開口１４などの、マスク内の開口に適合する。導管７０のＬ字継手は、一連の曲線のスロットオリフィスであってもよい、少なくとも１つの通気オリフィス７８（図１５に示される）を覆う通気孔シールド７６を含む。オリフィスは、導管の外側表面８０とシールドの内側表面８２（図１６）との間の間隙内に逃がしガスを排出する。粗い表面処理８４は、内側表面８２および外側表面８０の間隙に対応する範囲、特に雰囲気への出口近傍に適用されてもよい。間隙は、通気孔７８からの逃がしガスを受け、シールドの端部８６でガスを排出する。波形化された溝８８は、シールドの端部８６の近傍などの表面８０、８２上に形成されてもよい。溝は、間隙の出口において円鋸歯状の縁部を形成する。これらの縁部は、間隙から排出される逃がしガスと停滞した大気との混合を促進し、それが、雰囲気との間の速度差（剪断速度）を急激に低減して、排出ガスとそれに付随するノイズとを低減すると考えられる。
【００４１】
図２０および２１は、図１７〜１９の実施形態に非常に類似した、本発明の別の実施形態を図示する。ただし、キャップ７６のみが、その内表面上において表面処理（例えば、波形形成および／または粗面化）を備える。
【００４２】
７．  通気孔アセンブリを備えたマスクアセンブリ
図２２は、通気孔カバー上に設けられる単一の曲線の開口２０２に適用されてもよい、１つまたは複数の表面処理（波形形成／粗面化）を有する通気孔アセンブリ２００を含むように適合されたマスクアセンブリを示す、本発明の別の実施形態を図示する。このマスクアセンブリのさらなる詳細は、その全体が参照により本明細書に組み込まれる、２００３年９月５日出願の特許文献１０に開示されている。
【００４３】
８．  通気孔アセンブリを備えた別のマスクアセンブリ
図２３〜２５は、本発明のさらに別の実施形態による、通気孔アセンブリ３００を含むマスクアセンブリを図示する。通気孔アセンブリ３００は、その全体が参照により本明細書に組み込まれる特許文献１１にさらに十分に記載されている、ＲｅｓＭｅｄマスクの一部である。マスクアセンブリは、図３〜１２に関して記載した通気孔アセンブリの１つまたは複数の属性を含んでもよい。
【００４４】
９．  通気孔アセンブリを備えた別のマスクアセンブリ
図２６および２７は、その全体が参照により本明細書に組み込まれる特許文献１２に記載されているような、マスクアセンブリ４００の一部を図示する。マスクアセンブリは、例えば内壁４０８および外壁４１０によって形成される経路４０６を介して、呼気ガスを雰囲気に排出する通気孔アセンブリ４０４を含む。壁４０８および４１０はそれぞれ、１つまたは複数の表面処理、例えば、上述したような波形形成および／または粗面化を含んでもよい。
【００４５】
１０．  通気オリフィスの形状
図２８〜３４は、本発明によるさらなるオリフィスの形状を図示する。各実施形態では、オリフィスの総孔面積は、上述したように適切なガス逃がしに対処するように選択される。
図２８は、図２９の３／４円と比べて、３／４楕円である。図３０は、組み合わされて総面積（ＡＴＯＴＡＬ）を形成する、面積Ａ１およびＡ２を有する楕円形の２つの部分を示す。図３１は、ほぼ曲線のオリフィスを示し、図３２は、Ｒ１からＲ２までの範囲の複数成分の半径を有する螺旋形状のオリフィスを示す。図３３は、湾曲区画および直線区画（セクションラインによって描写される）を有するオリフィスを示し、図３４は、等しい半径Ｒ１およびＲ２を有する「Ｓ」字形のオリフィスを示す。
【００４６】
１１．  ２つの湾曲した逃がし通気孔を備えるマスクフレーム
図３５〜３７は、本発明の一実施形態による、２つの湾曲した逃がし通気孔５２０を含むマスクフレーム５１０を図示する。通気孔５２０は、図１〜７に関して上述した通気孔２０にほぼ類似した通気孔構造を有する。ただし、２つの通気孔５２０は、特定の形式で、マスクフレーム５２０上で方向付けられる。また、通気孔５２０は、一実施形態において特定の寸法を含む。
【００４７】
具体的には、各通気孔５２０は、１４２°の円弧全体にわたって延びる、７．７ｍｍの直径を含む（図３７を参照）。この構成は、より大きな円弧と比べて通気孔材料の強度を高める。図３６に示されるように、各通気孔５２０は、また、０．８５ｍｍの幅、３ｍｍの深さ、１．５ｍｍの入口半径、および６°の抜き勾配を有する。通気孔５２０の特定の寸法が図３６および３７に示されるが、これらの寸法は単に例示であり、用途に応じて他の寸法が可能であることを理解されたい。例えば、直径は、１３０〜１５０°の円弧全体にわたって延びる、４〜２０ｍｍ、好ましくは６〜８ｍｍであってもよい。幅は０．５〜１．０ｍｍであってもよく、深さは２．５〜３．５ｍｍであってもよく、入口半径は１〜２ｍｍであってもよく、抜き勾配は３〜７°であってもよい。また、通気孔５２０は、上述したような１つまたは複数の追加の特徴、例えば、表面輪郭形成または表面処理を含んでもよい。さらに、通気孔５２０は、図２８〜３４に記載したような他のオリフィス形状を含んでもよい。
【００４８】
図３５に示されるように、２つの通気孔５２０がマスクフレーム５１０に設けられる。図示されるように、マスクフレーム５１０は、前頭部支持体を受け入れるように適合された受け部５６２を含む。２つの通気孔５２０は、マスクフレーム５１０上で、受け部５６２の離間した側壁５６４の間に配置される。それに加えて、２つの通気孔５２０は、全体でほぼ逆Ｓ字形を形成するように、間に小さな間隙を有して縦に連なって配置される。さらに、２つの通気孔５２０は、各通気孔５２０の中央を通って延びる線Ｌが、マスクフレーム５１０の長手方向軸線Ａにほぼ垂直になるように方向付けられる。
【００４９】
マスクフレーム５１０上のこの通気孔の配置により、各通気孔５２０の幅を、１つのみの通気孔が使用された場合よりも薄くすることが可能になる。また、２つの通気孔５２０は１つの通気孔よりも静かなことがあるが、それは、各通気孔の幅がより薄く、かつ／または孔面積当たりの通気孔の外周がより大きいことに起因することがある。それに加えて、２つの通気孔５２０は、フレーム５１０上で必要とされる横方向の間隔を低減することがある。ただし、任意の適切な数の通気孔５２０、例えば１つの通気孔または２つを超える通気孔がフレーム５１０に設けられてもよいことを理解されたい。また、通気孔５２０は、他の適切な形式でマスクフレーム５１０上において方向付けられてもよい。
【００５０】
図３８〜４４は、マスクフレーム上で２つの通気孔５２０を方向付ける、いくつかの代替実施形態を図示する。例えば、２つの通気孔５２０は、両方の通気孔が下向きに湾曲した形（図３８を参照）で、または両方の通気孔が上向きに湾曲した形（図３９を参照）で、垂直に並べられてもよい。２つの通気孔５２０は、通気孔が互いに向かって湾曲した形（図４０を参照）で、または通気孔が互いから離れる方向に湾曲した形（図４１を参照）で、水平に並べられてもよい。２つの通気孔５２０は、通気孔が互いに向かって湾曲した形で垂直方向にずれていてもよい（図４２を参照）。２つの通気孔５２０は、わずかに重なり合って縦に連なって配置されてもよい（図４３を参照）。また、２つの通気孔５２０は、全体でほぼＳ字形を形成するように、それらの間に小さな間隙を有して縦に連なって配置されてもよい（図４４を参照）。通気孔の幾何学形状を、反転、回転、および／または拡大縮小すること（例えば、図２８〜３４を参照）により、追加の通気孔の構成が作成されてもよいことに留意されたい。
【００５１】
本発明を、現在最も実用的で好ましい実施形態であると考えられるものに関連して記載してきたが、本発明は開示される実施形態に限定されるものではなく、反対に、本発明の趣旨および範囲に含まれる様々な変形および同等の構成を包含するものであることを理解されたい。例えば、上述の通気孔アセンブリは、睡眠呼吸障害をもつ患者の治療の分野に使用されてもよいとともに、例えば他の疾病（例えば、うっ血性心不全、糖尿病、病的肥満、脳卒中、肥満外科手術など）の治療に使用される、人工呼吸器または換気装置の分野全般にも有用であってもよく、あるいは、静かで費用効率が高い形式での換気が望ましい場合に、患者または非患者に使用されるあらゆる呼吸装置に使用されてもよい。
【図面の簡単な説明】
【００５２】
【図１】本発明の第１の実施形態による通気孔を組み込んだマスクフレームの正面等角図である。
【図２】本発明の第１の実施形態による通気孔を組み込んだマスクフレームの背面等角図である。
【図３】図１および２に示される通気孔の正面図（マスク外部から見た図）である。
【図４】図１および２に示される通気孔の正面等角図である。
【図５】図１および２に示される通気孔の背面等角図（マスク内部から見た図）である。
【図６】図３の線６−６に沿った通気孔の断面図である。
【図７】図３の線７−７に沿った通気孔の断面図である。
【図８】通気孔の第２の実施形態の正面図（マスク外部から見た図）である。
【図９】通気孔の第２の実施形態の正面等角図である。
【図１０】通気孔の第２の実施形態の背面等角図（マスク内部から見た図）である。
【図１１】通気孔の第２の実施形態の波形化された表面処理および円鋸歯状の出口縁部を示す背面図である。
【図１１Ａ】本発明の一実施形態による通気オリフィスの代表的な寸法および幾何学形状を示す概略図である。
【図１２】通気孔の第２の実施形態の波形化された表面処理および円鋸歯状の出口縁部を示す背面等角拡大図である。
【図１３】通気孔の代替実施形態の正面図である。
【図１４】通気孔の代替実施形態の正面図である。
【図１５】別のマスク上の通気孔の正面図である。
【図１６】図１５に示されるマスクの別のエンドキャップの分解組立図である。
【図１７】通気孔との自在Ｌ字継手の正面等角図である。
【図１８】通気孔シールドを有さない図１７に示されるガス導管の正面等角図である。
【図１９】図１７に示される導管の通気孔シールドの背面等角図である。
【図２０】本発明のさらに別の実施形態による通気孔アセンブリの図である。
【図２１】本発明のさらに別の実施形態による通気孔アセンブリの図である。
【図２２】本発明のさらにまた別の実施形態による通気孔アセンブリの図である。
【図２３】本発明によるさらにまた別の実施形態の図である。
【図２４】本発明によるさらにまた別の実施形態の図である。
【図２５】本発明によるさらにまた別の実施形態の図である。
【図２６】本発明の一実施形態によるさらに別の通気孔アセンブリの図である。
【図２７】本発明の一実施形態によるさらに別の通気孔アセンブリの図である。
【図２８】本発明の実施形態による形状を有する追加の通気オリフィスの図である。
【図２９】本発明の実施形態による形状を有する追加の通気オリフィスの図である。
【図３０】本発明の実施形態による形状を有する追加の通気オリフィスの図である。
【図３１】本発明の実施形態による形状を有する追加の通気オリフィスの図である。
【図３２】本発明の実施形態による形状を有する追加の通気オリフィスの図である。
【図３３】本発明の実施形態による形状を有する追加の通気オリフィスの図である。
【図３４】本発明の実施形態による形状を有する追加の通気オリフィスの図である。
【図３５】本発明の一実施形態による逃がし通気孔を含むマスクフレームの正面図である。
【図３６】図３５の線３６−３６に沿った通気孔の、一実施形態の寸法を示す断面図である。
【図３７】図３５から取った通気孔の、一実施形態の寸法を示す拡大平面図である。
【図３８】マスクフレーム上で２つの通気孔を方向付ける代替実施形態の図である。
【図３９】マスクフレーム上で２つの通気孔を方向付ける代替実施形態の図である。
【図４０】マスクフレーム上で２つの通気孔を方向付ける代替実施形態の図である。
【図４１】マスクフレーム上で２つの通気孔を方向付ける代替実施形態の図である。
【図４２】マスクフレーム上で２つの通気孔を方向付ける代替実施形態の図である。
【図４３】マスクフレーム上で２つの通気孔を方向付ける代替実施形態の図である。
【図４４】マスクフレーム上で２つの通気孔を方向付ける代替実施形態の図である。
【符号の説明】
【００５３】
１０  マスクフレーム
１２  シェル
１４  開口
１６  枠
１７  内部容量
１８  支持体
２０  通気孔
２２  オリフィス
２４  隆起部
２６  チャネル
【図１】
2008526394.tif 000003
【図２】
2008526394.tif 000004
【図３】
2008526394.tif 000005
【図４】
2008526394.tif 000006
【図５】
2008526394.tif 000007
【図６】
2008526394.tif 000008
【図７】
2008526394.tif 000009
【図８】
2008526394.tif 000010
【図９】
2008526394.tif 000011
【図１０】
2008526394.tif 000012
【図１１】
2008526394.tif 000013
【図１１Ａ】
2008526394.tif 000014
【図１２】
2008526394.tif 000015
【図１３】
2008526394.tif 000016
【図１４】
2008526394.tif 000017
【図１５】
2008526394.tif 000018
【図１６】
2008526394.tif 000019
【図１７】
2008526394.tif 000020
【図１８】
2008526394.tif 000021
【図１９】
2008526394.tif 000022
【図２０】
2008526394.tif 000023
【図２１】
2008526394.tif 000024
【図２２】
2008526394.tif 000025
【図２３】
2008526394.tif 000026
【図２４】
2008526394.tif 000027
【図２５】
2008526394.tif 000028
【図２６】
2008526394.tif 000029
【図２７】
2008526394.tif 000030
【図２８】
2008526394.tif 000031
【図２９】
2008526394.tif 000032
【図３０】
2008526394.tif 000033
【図３１】
2008526394.tif 000034
【図３２】
2008526394.tif 000035
【図３３】
2008526394.tif 000036
【図３４】
2008526394.tif 000037
【図３５】
2008526394.tif 000038
【図３６】
2008526394.tif 000039
【図３７】
2008526394.tif 000040
【図３８】
2008526394.tif 000041
【図３９】
2008526394.tif 000042
【図４０】
2008526394.tif 000043
【図４１】
2008526394.tif 000044
【図４２】
2008526394.tif 000045
【図４３】
2008526394.tif 000046
【図４４】
2008526394.tif 000047
【国際調査報告】
2008526394.tif 000048
2008526394.tif 000049
2008526394.tif 000050